(57)【特許請求の範囲】
【請求項１】
フィルムを巻回する外周面を有し、中空部を有し、該中空部の内周面に被係合部を有する巻軸と、
前記巻軸の中空部に挿入する挿入部と摘み部とから構成され、該挿入部が前記巻軸の被係合部に係合する係合部を有し、該係合部を該被係合部に係合することにより、該巻軸に固定できる一対のスリーブと、
前記スリーブの挿入部を貫通させる貫通孔を有する一対の支持スタンドと、
を備え、
前記巻軸の一端付近及び他端付近において、前記支持スタンドの貫通孔が、原反を構成する巻軸の一端又は他端に位置決めされ、前記スリーブの挿入部が該貫通孔及び該巻軸の中空部に挿入され、該スリーブの前記係合部が該巻軸の前記被係合部に係合されることにより、該原反を構成する巻軸と一対のスリーブと一対の支持スタンドとが互いに固定され、該原反が一対の支持スタンドにより支持されるように構成され、
前記スリーブの挿入部に、弾性部材から成る板片部を備え、該板片部に前記係合部を設け、
前記巻軸及び一対のスリーブは、回転中心軸を有し、前記巻軸の被係合部は、凹部から構成され、前記スリーブの係合部は、凸部から構成され、該凹部は、該巻軸の中央部側から一端側又は他端側へいくに従って深くなる斜辺と該巻軸の中空部の内周面に対して略直角の底辺とから成る断面を有し、
前記スリーブの凸部は、
前記巻軸の前記凹部の前記底辺に引っ掛かるように構成され、
前記凹部に接触する側面を有し、
前記スリーブを前記凹部に係合した状態から前記回転中心軸のまわりに回転させることにより、前記側面が前記凹部の開口部に対して摺動しながら、該凹部から離脱するように構成された
原反保管器具。
【請求項２】
前記スリーブの前記挿入部は、略円筒状であり、
前記凸部の前記側面は、前記側面が前記凹部の開口部に対して摺動するために、前記挿入部の円形断面の半径方向に対して傾斜する
請求項１に記載する原反保管器具。
【請求項３】
前記スリーブの前記挿入部の同一直径方向上の２箇所に、切り欠きを周辺とする円弧状の前記板片部が設けられ、該板片部の先端は前記回転中心軸と平行である請求項１又は２に記載する原反保管器具。
【請求項４】
前記巻軸の前記凹部は、前記斜辺と前記底辺とからなる略直角三角形の断面を有する請求項１〜３のいずれかに記載する原反保管器具。
【請求項５】
前記支持スタンドの前記貫通孔は、前記スリーブの前記凸部を通過させることのできる通過溝が設けられた請求項１〜４のいずれかに記載する原反保管器具。
【請求項６】
前記一対の支持スタンドは、保護カバーを被せた時に、該保護カバーを前記原反に接触させずに、該原反の全てを、該一対の支持スタンドの間であって該保護カバーの下に収納するように構成された請求項１〜５のいずれかに記載する原反保管器具。
【請求項７】
前記スリーブを前記巻軸の中空部に挿入し前記回転中心軸のまわりに回転させることにより、該スリーブの前記凸部が該巻軸の凹部に係合されるように構成された請求項１〜５のいずれかに記載する原反保管器具。
【発明の詳細な説明】
【技術分野】
【０００１】
本発明は、工業用又は包装用等のフィルムを紙管（巻軸）に巻回した原反を空中に支持し保管するための原反保管器具に関する。
【背景技術】
【０００２】
従来から、液晶ディスプレイ用機能フィルム、磁気テープ、フィルムコンデンサ等を製造するためのＰＥＴフィルムが幅広く使用されている。
【０００３】
図１４に、ＰＥＴフィルム１００が紙管１０２に巻回されて形成された原反１０４を示す。原反１０４は、倉庫に保管され、液晶フィルム等を製造する時には、倉庫から取り出され製造工程へ搬送される。製造工程に搬送された原反１０４からは、ＰＥＴフィルム１００が巻きだされて、液晶フィルム等が製造される。
【０００４】
ここで、図１５に、光学フィルム１１０が巻軸１０８に巻回されて形成された原反１１２を保管するための原反保管器具１１４を示す（特許文献１に開示されている。）。原反保管器具１１４は、基板１１６と、基板１１６に垂設され、巻軸１０８の一端１１８付近及び他端１２０付近を支持する一対の支持板１２２と、から構成されている。
【０００５】
しかし、原反保管器具１１４によれば、原反１１２を支持板１２２によって支持するのみで固定しないため、工場の振動や地震の振動等によって原反１１２が原反保管器具１１４から離脱する場合がある。
【先行技術文献】
【特許文献】
【０００６】
【特許文献１】特開２０１１−９９９５５号公報
【発明の概要】
【発明が解決しようとする課題】
【０００７】
本発明は、原反を容易に固定して保管できる原反保管器具を提供することを目的とする。
【課題を解決するための手段】
【０００８】
本発明に係る原反保管器具は、フィルムを巻回する外周面を有し、中空部を有し、該中空部の内周面に被係合部を有する巻軸と、
前記巻軸の中空部に挿入する挿入部と摘み部とから構成され、該挿入部が前記巻軸の被係合部に係合する係合部を有し、該係合部を該被係合部に係合することにより、該巻軸に固定できる一対のスリーブと、
前記スリーブの挿入部を貫通させる貫通孔を有する一対の支持スタンドと、
を備え、
前記巻軸の一端付近及び他端付近において、前記支持スタンドの貫通孔が、原反を構成する巻軸の一端又は他端に位置決めされ、前記スリーブの挿入部が該貫通孔及び該巻軸の中空部に挿入され、該スリーブの前記係合部が該巻軸の前記被係合部に係合されることにより、該原反を構成する巻軸と一対のスリーブと一対の支持スタンドとが互いに固定され、該原反が一対の支持スタンドにより支持されるように構成され、
前記スリーブの挿入部に、弾性部材から成る板片部を備え、該板片部に前記係合部を設け、
前記巻軸及び一対のスリーブは、回転中心軸を有し、前記巻軸の被係合部は、凹部から構成され、前記スリーブの係合部は、凸部から構成され、該凹部は、該巻軸の中央部側から一端側又は他端側へいくに従って深くなる斜辺と該巻軸の中空部の内周面に対して略直角の底辺とから成る断面を有し、
前記スリーブの凸部は、
前記巻軸の前記凹部の前記底辺に引っ掛かるように構成され、
前記凹部に接触する側面を有し、
前記スリーブを前記凹部に係合した状態から前記回転中心軸のまわりに回転させることにより、前記側面が前記凹部の開口部に対して摺動しながら、該凹部から離脱するように構成されたことを特徴とする。
明細書及び特許請求の範囲において、原反とは、フィルムを巻軸に巻回したロール状のものを言い、断面形状は円形に限定されない。
また、本発明に係る原反保管器具は、前記原反保管器具において、前記スリーブの前記挿入部は、略円筒状であり、前記凸部の前記側面は、前記側面が前記凹部の開口部に対して摺動するために、前記挿入部の円形断面の半径方向に対して傾斜することを特徴とする。
また、本発明に係る原反保管器具は、前記原反保管器具において、前記スリーブの前記挿入部の同一直径方向上の２箇所に、切り欠きを周辺とする円弧状の前記板片部が設けられ、該板片部の先端は前記回転中心軸と平行であることを特徴とする。
また、本発明に係る原反保管器具は、前記原反保管器具において、前記巻軸の前記凹部は、前記斜辺と前記底辺とからなる略直角三角形の断面を有することを特徴とする。
また、本発明に係る原反保管器具は、前記原反保管器具において、前記支持スタンドの前記貫通孔は、前記スリーブの前記凸部を通過させることのできる通過溝が設けられたことを特徴とする。
また、本発明に係る原反保管器具は、前記原反保管器具において、前記一対の支持スタンドは、保護カバーを被せた時に、該保護カバーを前記原反に接触させずに、該原反の全てを、該一対の支持スタンドの間であって該保護カバーの下に収納するように構成されたことを特徴とする。
また、本発明に係る原反保管器具は、前記原反保管器具において、前記スリーブを前記巻軸の中空部に挿入し前記回転中心軸のまわりに回転させることにより、該スリーブの前記凸部が該巻軸の凹部に係合されるように構成されたことを特徴とする。
【０００９】
明細書及び特許請求の範囲において、平滑とは、凹凸が無く平らで穴及び孔が無い状態を言う。
【発明の効果】
【００１０】
本発明の原反保管器具によれば、巻軸の一端付近及び他端付近において、支持スタンドの貫通孔を、原反を構成する巻軸の一端又は他端に位置決めし、スリーブの挿入部を貫通孔及び巻軸の中空部に挿入し、スリーブの係合部を巻軸の被係合部に係合させることにより、原反を構成する巻軸と一対のスリーブと一対の支持スタンドとを互いに固定することができる。これにより、原反を一対の支持スタンドにより支持させて保管することを容易に行える。しかも、原反を構成する巻軸と一対のスリーブと一対の支持スタンドとが互いに固定されるため、工場の振動等によって原反が支持スタンドから離脱することがない。
【００１１】
また、本願発明は、スリーブの係合部を巻軸の被係合部に係合してスリーブを巻軸に固定することができる。このため、使い捨ての部分はなく、繰り返し、もしくは数回使用できる。使い捨てのＰＰバンドを用いてスリーブを巻軸に固定するのではないため、コスト低減及び環境問題の観点から好ましい。
【００１２】
また、液晶フィルムの製造等のために原反を使用する時には、スリーブの係合部を巻軸の被係合部から離脱させ、スリーブの挿入部を貫通孔及び巻軸の中空部から抜き出すことにより、原反を支持スタンドから容易に離脱させることができる。
【００１３】
本願発明において、係合部を弾性部材から成る板片部に設け、巻軸及び一対のスリーブが回転中心軸を有し、巻軸の被係合部が凹部から構成され、スリーブの係合部は凸部から構成され、凹部が斜辺と底辺とから成る略直角三角形の断面を有する場合、スリーブを巻軸の中央部側から一端側又は他端側へ引っ張っても、スリーブの係合部が凹部の底辺に引っ掛かり、スリーブを巻軸から外すことはできない。一方で、スリーブを回転中心軸のまわりに巻軸に対して回転させることにより、板片部が弾性変形し、係合部が略求心方向に移動して被係合部から離脱する。
【００１４】
この場合、スリーブを任意の方向に巻軸から外そうとしても、恣意的に外すことはできない。また、スリーブを螺入するのではなく回転させることによって、係合部を被係合部に係合又は離脱でき、係合又は離脱が容易である。また、巻軸に係合したスリーブのトルク管理が不要となる。
【００１５】
本願発明において、巻軸の外周面が平滑である場合、巻軸に巻回したフィルムを巻軸の外周面が傷つけることはない。
【００１６】
本願発明において、スリーブが中空部を有し、中空部の内周面が平滑である場合、スリーブの中空部に鉄心を挿入して原反を吊り上げる際に、鉄心の干渉物がないために、鉄心を容易に挿入することができる。
【００１７】
本願発明において、巻軸が紙管である場合、巻軸又は周囲に静電気が生じることがない。また、他の部材から巻軸を構成するのと異なり、コストを削減できる。
【図面の簡単な説明】
【００１８】
【図１】本発明に係る原反保管器具の実施形態を示す図であり、同図（ａ）は正面図であり、同図（ｂ）は右側面図である。
【図２】図１の原反保管器具の拡大正面断面図である。
【図３】図１の原反保管器具を構成する紙管を示す図であり、同図（ａ）は拡大左側面図であり、同図（ｂ）は拡大正面断面図である。
【図４】図１の原反保管器具を構成するスリーブを示す図であり、同図（ａ）は拡大正面図であり、同図（ｂ）はＡ−Ａ線切断部断面図である。
【図５】図１の原反保管器具を構成するスリーブを示す図であり、同図（ａ）は拡大平面図であり、同図（ｂ）は拡大左側面図である。
【図６】図１の原反保管器具を構成する支持スタンドを示す図であり、同図（ａ）は拡大正面断面図であり、同図（ｂ）は拡大左側面図であり、同図（ｃ）は支持スタンドに設けた貫通孔の拡大図である。
【図７】図１の原反保管器具を使用するために、原反をブロックに載置した状態を示す図であり、同図（ａ）は正面図であり、同図（ｂ）は左側面図である。
【図８】図１の原反保管器具の使用状態を示す正面図である。
【図９】図１の原反保管器具の使用状態を示す拡大右断面図であり、同図（ａ）はスリーブの挿入部を紙管に挿入した状態を示す図であり、同図（ｂ）は挿入部の凸部を紙管の凹部に係合した状態を示す図である。
【図１０】本発明に係る原反保管器具の他の実施形態を示す正面断面図である。
【図１１】本発明に係る原反保管器具の更に他の実施形態を示す図であり、同図（ａ）は正面図であり、同図（ｂ）は右側面図である。
【図１２】同図（ａ）は本発明に係る原反保管器具を構成するスリーブの他の実施形態を示す拡大平面図であり、同図（ｂ）は本発明に係る原反保管器具を構成するスリーブの更に他の実施形態を示す拡大平面図である。
【図１３】同図（ａ）は本発明に係る原反保管器具を構成するスリーブの更に他の実施形態を示す拡大平面図であり、同図（ｂ）は本発明に係る原反保管器具を構成するスリーブの更に他の実施形態を示す拡大平面図である。
【図１４】従来の原反を示す図であり、同図（ａ）は正面断面図であり、同図（ｂ）は左側面図である。
【図１５】従来の原反保管器具を示す斜視図である。
【発明を実施するための形態】
【００１９】
次に、本発明の実施形態について、図面に基づいて詳細に説明する。図１及び図２において、符号１０は、本発明の原反保管器具である。原反保管器具１０は、略円筒状の紙管（巻軸）１２にフィルム１４が巻回されて形成された原反１６（原反１６は、紙管１２と巻回されたフィルム１４とから構成される）を空中に支持して保管するためのものであり、紙管１２と、紙管１２に取り付ける一対のスリーブ１８と、原反１６を空中に支持する一対の支持スタンド２１と、から構成されている。
【００２０】
紙管１２は、図２及び図３に示すように、長手方向の中空部２２を有している。中空部２２の中で紙管１２の一端２４付近及び他端２６付近の内周面の相対向する箇所には、スリーブ１８が有する図２に示す２箇所の凸部（係合部）３０が係合される凹部（被係合部）２８を有している。凹部２８は、図３（ｂ）に示すように、中空部２２の中央部側から一端２４側又は他端２６側へいくに従って深くなるテーパを有し、底辺２９が中空部２２の内周面に対して略直角の辺を有する略直角三角形の断面を有しており、凹部２８に係合した凸部３０が、底辺２９に当接することにより、中空部２２の中央部側から一端２４側又は他端２６側へ移動しないように構成され、凸部３０が中空部２２の中央部側から一端２４側又は他端２６側へ離脱しないように構成されている。
【００２１】
スリーブ１８は、図２、図４及び図５に示すように、巻軸１２の中空部２２に挿入する略円筒状の挿入部３２と、挿入部３２の中の回転中心軸Ｃ方向後端３４に連続する摘み部３６とから構成される。挿入部３２と摘み部３６とは、樹脂成形により一体的に形成される。樹脂の原料は、以下に示す板片部４０が弾性変形可能であれば、ＡＢＳ（Acrylonitrile Butadiene Styrene）等、特に限定されない。
【００２２】
挿入部３２の同一直径方向上の２箇所には、図４及び図５（ａ）に示すように、コの字形状の切り欠き３８が設けられることにより、切り欠き３８を周辺（３辺）とする円弧状の板片部４０が形成されている。スリーブ１８の凹部２８に係合する凸部３０は、板片部４０の中の挿入部３２の外周円方向の先端４２（図５（ａ）に示す）付近に設けられている。板片部４０は、弾性変形可能な材料及び寸法から構成されており、板片部４０に設けられた凸部３０は、挿入部３２の円形断面の半径方向に弾性的に移動可能である。図４（ｂ）に示すように、凸部３０の中でスリーブ１８の凹部２８に接触する両側面４４は、挿入部３２の円形断面の半径方向に対して傾斜しており、凹部２８に凸部３０を係合した状態からスリーブ１８を回転中心軸Ｃのまわりに回転させることにより、側面４４が凹部２８の開口部に対して摺動しながら、凸部３０が凹部２８から離脱し、スリーブ１８を紙管１２から抜き出せるように構成されている。
【００２３】
なお、凸部３０及び凹部２８の形状により、又は板片部４０における凸部３０の位置により、凸部３０を凹部２８から離脱させるためにスリーブ１８を回転中心軸Ｃのまわりに回転させる方向を限定できるように構成してもよい。例えば、挿入部３２の外周円方向の先端４２から外周円方向後端の方向にのみ凸部３０を回転できるように、板片部４０の中の挿入部３２の外周円方向の先端４２付近に凸部３０を設けるように構成してもよい。
【００２４】
摘み部３６は、図５（ｂ）に示すように、片手で把持して回転中心軸Ｃのまわりに回転させる時に滑り難いように、８角形状の外周を有している。摘み部３６の外周は、６角形等の多角形であってもよい。摘み部３６は、工具を用いて回転させることもできるように、工具を係合する係合溝４６が設けられている。摘み部３６及び挿入部３２は、軽量化のために、中央部に中空部３５を有している。
【００２５】
一対の支持スタンド２１は、図１及び図６（ａ）に示すように、板状部材から構成される。各支持スタンド２１の材質は、原反１６を支持できる強度を有していれば、樹脂、木材等、特に限定されない。各支持スタンド２１の中央部には、図６（ｂ）に示すように、スリーブ１８の挿入部３２が貫通する貫通孔４８が設けられている。貫通孔４８の中心Ｃ１の高さＨ２は、紙管１２に巻回して形成する原反１６の半径Ｄ１（図１（ｂ）に示す）よりも高く構成されている。これにより、貫通孔４８に原反１６の紙管１２を固定して原反１６を空中に支持できる。貫通孔４８の外周円の直径は、スリーブ１８の挿入部３２を挿入できるように、スリーブ１８の挿入部３２の外周円の直径と略同一に構成されている。
【００２６】
貫通孔４８の相対向する２箇所には、図６（ｃ）に示すように、スリーブ１８の挿入部３２を貫通孔４８に貫通させる時にスリーブ１８の凸部３０を通過させることのできる通過溝５０が設けられている。支持スタンド２１の上辺４９は、図１に示すように、原反１６の外周円よりも大きな半径の円弧形状から構成される。これにより、一対の支持スタンド２１に図示しない保護カバーを被せた時に、保護カバーを原反１６に接触させずに、原反１６の全てを、一対の支持スタンド２１の間であって保護カバーの下に収納して保管できる。
【００２７】
ここで、紙管１２の凹部２８の底辺２９から紙管１２の一端２４又は他端２６までの距離Ｌ１（図３（ｂ）に示す）と、スリーブ１８の凸部３０の摘み部３６側の側面４４から摘み部３６までの距離Ｌ２（図４（ａ）及び図５（ａ）に示す）と、各支持スタンド２１の厚さＬ３（図６（ａ）に示す）との間には、図２に示すように、Ｌ２＝Ｌ１＋Ｌ３なる関係がある。これにより、スリーブ１８の凸部３０を紙管１２の凹部２８に係合してスリーブ１８を紙管１２に固定した時に、図２に示すように、スリーブ１８の摘み部３６と紙管１２の一端２４又は他端２６との間に支持スタンド２１を挟持できる。
【００２８】
以上のような構成の原反保管器具１０を用いて、原反１６を空中に支持し保管する作用効果について、以下に説明する。なお、特に断らない限り、作用を時系列に沿って説明する。
【００２９】
図示しない巻回装置により、紙管１２にフィルム１４が巻回され原反１６が形成される。原反１６は、原反保管器具１０が配置された倉庫まで運搬される。
【００３０】
倉庫においては、図７に示すように、床５８上に、Ｖ字溝６０を有する位置決めブロック６２が設置されている。原反１６は、図示しないクレーンによって吊り下げられブロック６２のＶ字溝６０に載置される。ブロック６２は、Ｖ字溝６０に載置された原反１６の回転中心軸Ｃの床５８からの高さＨ１が、支持スタンド２１の底辺から貫通孔４８の中心Ｃ１までの高さＨ２（図６（ａ）に示す）よりも高いもの、又は高さＨ１がＨ２と同一のものが選択されている。これにより、床５８に干渉されずにＶ字溝６０に載置された原反１６に支持スタンド２１を設置できる。ブロック６２は、Ｖ字溝６０の高さを調節できる構成であってもよい。
【００３１】
また、原反１６をＶ字溝６０に載置した時には、紙管１２の一端２４及び他端２６が、回転中心軸Ｃ方向において、ブロック６２の端部６４よりも突出している必要がある。これにより、支持スタンド２１を紙管１２の一端２４及び他端２６に当接させて、支持スタンド２１を原反１６に設置できる。
【００３２】
次に、図８に示すように、一対の支持スタンド２１を構成する一の支持スタンド２１が床５８上を移動させられながら、紙管１２の一端２４に当接させられ、一のスリーブ１８の挿入部３２が、一の支持スタンド２１の貫通孔４８及び紙管１２の中空部２２の一端２４付近に挿入される。この時、一のスリーブ１８が有する凸部３０は、一の支持スタンド２１の貫通孔４８が有する通過溝５０（図６（ｃ）に示す）を通過させられる。一のスリーブ１８の挿入部３２は、摘み部３６が一の支持スタンド２１に当接するまで、一の支持スタンド２１の貫通孔４８及び紙管１２の一端２４付近に挿入される。これにより、一の支持スタンド２１の貫通孔４８の周囲は、一のスリーブ１８の摘み部３６と紙管１２の一端２４とによって挟持される。
【００３３】
一のスリーブ１８の挿入部３２が紙管１２の一端２４付近に挿入され、一の支持スタンド２１の貫通孔４８の周囲が、一のスリーブ１８の摘み部３６と紙管１２の一端２４とによって挟持された時、回転中心軸Ｃと平行な方向においては、一のスリーブ１８の凸部３０の位置が紙管１２の凹部２８の位置と一致する。構成の説明で述べたように、紙管１２における一端２４付近の凹部２８の底辺２９から一端２４までの距離Ｌ１（図３（ｂ）に示す）と、一のスリーブ１８の凸部３０の摘み部３６側の側面４４から摘み部３６までの距離Ｌ２（図４（ａ）及び図５（ａ）に示す）と、各支持スタンド２１の厚さＬ３（図６（ａ）に示す）との間には、図２に示すように、Ｌ２＝Ｌ１＋Ｌ３なる関係があるためである。
【００３４】
一のスリーブ１８の挿入部３２が紙管１２の一端２４付近に挿入され、一の支持スタンド２１の貫通孔４８の周囲が、一のスリーブ１８の摘み部３６と紙管１２の一端２４とによって挟持された時、通常は、紙管１２の円周方向においては、一のスリーブ１８が有する凸部３０の位置が一端２４付近の凹部２８の位置に一致することはない。一のスリーブ１８を挿入する作業者が凹部２８の位置を確認するのは困難だからである。例えば、一のスリーブ１８の凸部３０の位置は、図９（ａ）に示すように、一端２４付近の凹部２８の位置よりも時計まわりにずれている。これにより、一のスリーブ１８の凸部３０は、中空部２２の内周面によって押圧され、図９（ａ）に示すように、一のスリーブ１８の板片部４０は紙管１２の略求心方向に弾性変形している。
【００３５】
次に、一のスリーブ１８が、図９（ａ）に示すように、例えば反時計まわりに回転させられ、一のスリーブ１８の凸部３０が回転中心軸Ｃのまわりに回転させられる。回転中心軸Ｃのまわりに回転させられる一のスリーブ１８の凸部３０の位置は、やがて、紙管１２の円周方向において、一端２４付近の凹部２８の位置と一致する。これにより、一のスリーブ１８の凸部３０は、中空部２２の内周面による押圧から解放され、一のスリーブ１８の板片部４０は、紙管１２の略遠心方向に変形し、一のスリーブ１８の凸部３０は、一端２４付近の凹部２８に係合される。これにより、一のスリーブ１８は、紙管１２の一端２４付近に固定される。
【００３６】
構成の説明で述べたように、凹部２８は、図３（ｂ）に示すように、中空部２２の中央部側から一端２４側へいくに従って深くなり、底辺２９が中空部２２の内周面に対して略直角の略直角三角形の断面を有している。これにより、一端２４付近の凹部２８に係合した一のスリーブ１８の凸部３０が、底辺２９に当接することにより、中空部の中央部側から一端２４側へ移動して、凸部３０が中空部２２の中央部側から一端２４側へ離脱することはない。
【００３７】
このようにして、原反１６の紙管１２の一端２４付近において、一のスリーブ１８及び一の支持スタンド２１が原反１６の紙管１２に固定される。すなわち、原反１６の紙管１２の一端２４付近において、原反１６の紙管１２と一のスリーブ１８と一の支持スタンド２１とが互いに固定される。次に、原反１６の紙管１２の他端２６付近においても、紙管１２の一端２４付近と同様に、他のスリーブ１８及び他の支持スタンド２１が原反１６の紙管１２に固定され、原反１６の紙管１２と他のスリーブ１８と他の支持スタンド２１とが互いに固定される。このようにして一対の支持スタンド２１が原反１６に固定される。
【００３８】
一対の支持スタンド２１が原反１６に固定され状態で、原反１６が、図示しないクレーンよって、持ち上げられ原反１６の保管場所へ移動させられる。保管場所において、一対の支持スタンド２１及び原反１６等が床５８上に降ろされる。これにより、一対の支持スタンド２１は原反１６を空中に支持する。一対の支持スタンド２１に支持された原反１６及び一対の支持スタンド２１の上には図示しない保護カバーが被せられ、原反１６は保管場所で所定期間保管される。図１（ｂ）に示すように、側面視において、原反１６が支持スタンド２１に隠れる状態であれば、保護カバーが原反１６に接触することはなく、保護カバーによって原反１６静電気が発生することはない。
【００３９】
原反１６を液晶フィルム等に製造のために使用するときには、保管されていた原反１６は、液晶フィルム等を製造するために、保管場所から取り出す必要がある。まず、原反１６を覆う保護カバーが取り除かれ、原反１６が図示しないクレーン等によって支持され、ブロック６２上に載置される。次に、一のスリーブ１８は、一のスリーブ１８の凸部３０が紙管１２の一端２４付近の凹部２８に係合された状態（図９（ｂ）に示す状態）から、例えば反時計まわりに回転させられる。一のスリーブ１８が反時計まわりに回転することにより、挿入部３２の円形断面の半径方向に対して傾斜している側面４４が一端２４付近の凹部２８の開口部に対して摺動しながら、一のスリーブ１８の凸部３０が一端２４付近の凹部２８から離脱していく。この時、板片部４０は、挿入部３２の円形断面の求心方向へ弾性変形していく。
【００４０】
一のスリーブ１８の凸部３０が一端２４付近の凹部２８から離脱すると、一のスリーブ１８は、紙管１２の一端２４付近、及び一の支持スタンド２１の貫通孔４８から、回転中心軸Ｃと平行な方向に抜き出される。一のスリーブ１８が紙管１２の一端２４付近から抜き出されることにより、一のスリーブ１８及び一の支持スタンド２１が原反１６から離脱する。
【００４１】
一のスリーブ１８と同様に、他のスリーブ１８が紙管１２の他端２６付近、及び他の支持スタンド２１の貫通孔４８から、抜き出され、他のスリーブ１８及び他の支持スタンド２１が原反１６から離脱する。これにより、原反１６のみがブロック６２によって支持された状態となる。
【００４２】
次に、原反１６がクレーン等によって支持され、製造工程へ搬送される。製造工程に搬送された原反１６からは、フィルム１４が巻きだされて、液晶フィルム等が製造される。
【００４３】
本発明の原反保管器具１０によれば、紙管１２の一端２４付近及び他端２６付近において、支持スタンド２１の貫通孔４８を、原反１６を構成する巻軸１２の一端２４又は他端２６に位置決めし、スリーブ１８の挿入部３２を貫通孔４８及び紙管１２の中空部２２に挿入し、スリーブ１８の凸部３０を紙管１２の凹部２８に係合させることにより、原反１６を構成する紙管１２と一対のスリーブ１８と一対の支持スタンド２１とを互いに固定することができる。これにより、原反１６を一対の支持スタンド２１により支持させて保管することを容易に行える。しかも、原反１６を構成する紙管１２と一対のスリーブ１８と一対の支持スタンド２１とが互いに固定されるため、搬送時等の振動等によって原反１６が支持スタンド２１から離脱することがない。
【００４４】
以上、本発明の一実施形態について説明したが、本発明は上述の実施形態に限定されない。
【００４５】
例えば、図１及び図２に示す原反保管器具１０において、図１０に示すように、紙管１２の一端２４付近及び他端２６付近に段差６４を設けてもよい。
【００４６】
支持スタンド２１を、原反１６を構成する紙管１２の段差壁６６と各スリーブ１８の摘み部３６との間に挟持するために、固定図１０に示す紙管１２の段差６４の長さＬ４は、支持スタンド２１の厚さＬ３（図６（ａ）に示す）と同一である。スリーブ１８を紙管１８の中空部２２に摘み部３６が紙管１２の一端２４又は他端２６に当接するまで挿入した時に、スリーブ１８の円周方向において、スリーブ１８の凸部３０の位置が紙管１２の凹部２８の位置と一致するように、図１０に示す紙管１２の凹部２８の底辺２９から紙管１２の一端２４又は他端２６までの距離Ｌ１は、スリーブ１８の凸部３０の摘み部３６側の側面４４から摘み部３６までの距離Ｌ２と同一である。図１０の紙管１２の構成は、段差６４を設けたこと以外は、図１及び図２に示す原反保管器具１０の紙管１２の構成と同一である。
【００４７】
図１０に示す一対のスリーブ１８の各構成は、図１及び図２に示す原反保管器具１０のスリーブ１８の各構成と同じである。
【００４８】
図１０に示す一対の支持スタンド２１の各々は、貫通孔４８の外周円の直径が、紙管１２の段差６４を挿入できるように、段差６４の外周円の直径と略同一に構成されている。図１０の各支持スタンド２１の構成は、貫通孔４８の外周円の直径が段差６４の外周円の直径と同一に構成されていること以外は、図１及び図２に示す原反保管器具１０の各支持スタンド２１の構成と同じである。
【００４９】
図１０の原反保管器具１０は、各支持スタンド２１の貫通孔４８を段差６４に当接させて各支持スタンド２１を紙管１２に取り付け、スリーブ１８の摘み部３６を紙管１２の一端２４又は他端２６に当接させて紙管１２に挿入する。これにより、各支持スタンド２１は、原反１６を構成する紙管１２の段差壁６６と各スリーブ１８の摘み部３６との間に挟持され固定される。すなわち、原反１６と一対のスリーブ１８と一対の支持スタンド２１とが互いに固定され、原反１６を、一対の支持スタンド２１によって空中に支持することができる。
【００５０】
また、図１及び図２に示す原反保管器具１０において、図１１に示すように、一対の支持スタンド２１に固定する補強棒６８を設けてもよい。図１１に示す原反保管器具１０は、補強棒６８を設けること以外は、図１及び図２に示す原反保管器具１０の構成と同じである。補強棒６８は、原反１６と一対のスリーブ１８と一対の支持スタンド２１とが互いに固定され、原反１６が一対の支持スタンド２１によって空中に支持された後に、一対の支持スタンド２１に固定される。補強棒６８は、両端に、雄螺子部及び摘み部を有する取付具７０が螺入されることによって、一対の支持スタンド２１に固定される。一対の支持スタンド２１に補強棒６８を固定することによって、原反保管器具１０全体を補強できる。
【００５１】
また、スリーブ１８が有するコの字形状の切り欠き３８の向きは、図５（ａ）に示すものに限定されない。例えば、板片部４０の先端４２の位置は、図１２（ａ）に示すように、挿入部３２の中の先端側であっても、図１２（ｂ）に示すように、挿入部３２の中の摘み部３６側であってもよい。また、板片部４０の先端４２は、図１３（ａ）に示すように、回転中心軸Ｃと平行であってもよい。
【００５２】
また、板片部４０を形成する切り欠きはコの字形状に限定されず、図１３（ｂ）に示すように、回転中心軸Ｃと平行な２本の真っ直ぐな形状であり、挿入部３２の先端まで連続した切り欠き３９であってもよい。
【００５３】
以上、本発明の実施形態について図面に基づいて説明したが、本発明は図示した実施形態に限定されない。例えば、巻軸は、紙から構成されずに、樹脂又は木材から構成されていてもよい。また、巻軸の断面形状は円形に限定されず多角形であってもよい。また、巻軸は、少なくとも長手方向における一端付近及び他端付近に中空部を有していれば、中央部が中密構造であってもよい。
【００５４】
また、スリーブの挿入部の断面形状は、円形でない多角形である巻軸の中空部の断面形状に対応した多角形であってもよい。また、支持スタンドは、板状に限定されず、ラーメン構造又はスケルトン構造であってもよい。
【符号の説明】
【００５５】
１０：原反保管器具
１２：紙管（巻軸）
１４：フィルム
１６：原反
１８：スリーブ
２１：支持スタンド
２２：中空部
２４：一端
２６：他端
２８：凹部（被係合部）
３０：凸部（係合部）
３２：挿入部
３６：摘み部
４０：板片部
４８：貫通孔
Ｃ：回転中心軸
【図１】
0006668092.tif 000002
【図２】
0006668092.tif 000003
【図３】
0006668092.tif 000004
【図４】
0006668092.tif 000005
【図５】
0006668092.tif 000006
【図６】
0006668092.tif 000007
【図７】
0006668092.tif 000008
【図８】
0006668092.tif 000009
【図９】
0006668092.tif 000010
【図１０】
0006668092.tif 000011
【図１１】
0006668092.tif 000012
【図１２】
0006668092.tif 000013
【図１３】
0006668092.tif 000014
【図１４】
0006668092.tif 000015
【図１５】
0006668092.tif 000016